(57)【要約】【課題】  現在視聴中のラジオ放送又はテレビジョン放送の内容を誰かに知らせたくなった場合に、その放送の内容に対応する放送情報を、迅速に通信メッセージで送信することができる携帯端末装置を提供する。【解決手段】  通信メッセージを送受信する通信部１２と、放送信号を受信する放送受信部１４と、放送信号の内容を出力する表示部２２及び／又は音声出力部２８と、放送信号の内容に関連する放送情報を記憶する記憶部１６と、放送受信部が受信した放送信号に多重化されている放送情報を取得して、この放送情報を記憶部に格納する処理動作を行なうと共に、通信メッセージを作成する操作が行なわれた場合に、この通信メッセージに記憶部に格納されている放送情報を付加する処理動作を行なう制御部３０とを備えるようにした。【選択図】      図１
2006121509.tif 000002
【特許請求の範囲】
【請求項１】
通信回線網に接続して通信メッセージを送受信することができる通信部と、
放送局が放送する放送信号を受信する放送受信部と、
前記放送信号の内容を出力する表示部及び／又は音声出力部と、
前記放送信号の内容に関連する放送情報を記憶する記憶部と、
前記表示部及び／又は音声出力部による前記放送信号の内容の出力中に、前記放送受信部が受信した放送信号に多重化されている前記放送情報を取得するか、又は放送受信部が放送信号に同調したときの設定を放送情報として取得して、この放送情報を前記記憶部に格納する処理動作を行なうと共に、前記通信メッセージを作成する操作が行なわれた場合に、この通信メッセージに前記記憶部に格納されている放送情報を付加する処理動作を行なう制御部と
を備えることを特徴とする携帯端末装置。
【請求項２】
前記記憶部は、前記放送信号の周波数に対応する放送局名及び／又はチャンネル番号のテーブルを記憶し、
前記制御部は、前記放送受信部が受信する放送信号の周波数を前記テーブルに照らし合わせて放送局名又はチャンネル番号を特定し、この特定された放送局名又はチャンネル番号を前記放送情報の一部として前記記憶部に格納することを特徴とする請求項１に記載の携帯端末装置。
【請求項３】
通信回線網に接続して通信メッセージを送受信することができる通信部と、
放送局が放送する放送信号を受信する放送受信部と、
前記放送信号の内容を出力する表示部及び／又は音声出力部と、
前記放送信号の内容に関連する放送情報を記憶する記憶部と、
前記表示部及び／又は音声出力部による前記放送信号の内容の出力中に、前記通信部を介して前記放送情報を有する前記通信回線網上の所定のサーバーから放送情報を取得し、この放送情報を前記記憶部に格納する処理動作を行なうと共に、前記通信メッセージを作成する操作が行なわれた場合に、この通信メッセージに前記記憶部に格納されている放送情報を付加する処理動作を行なう制御部と
を備えることを特徴とする携帯端末装置。
【請求項４】
前記記憶部は、前記放送信号の周波数に対応する放送局名及び／又はチャンネル番号のテーブルを記憶し、
前記制御部は、前記放送受信部が受信する放送信号の周波数を前記テーブルに照らし合わせて放送局名又はチャンネル番号を特定し、この特定された放送局名又はチャンネル番号の放送局が放送する放送信号の放送情報を前記所定のサーバーから取得することを特徴とする請求項３に記載の携帯端末装置。
【請求項５】
現在の時刻を出力する時計部を備え、
前記制御部は、前記所定のサーバーから取得する前記放送情報を、前記時計部が指す時刻に対応しているものに限定することを特徴とする請求項３又は４に記載の携帯端末装置。
【請求項６】
前記制御部は、前記表示部及び／又は音声出力部による前記放送信号の内容の出力中のときに、一定時間ごと又は取得した放送情報の内容に変化があったとき、前記記憶部に記憶した放送情報を新たなものに更新することを特徴とする請求項１ないし請求項５のいずれか一に記載の携帯端末装置。
【請求項７】
前記制御部は、前記放送信号の内容に関連する放送情報が付加されている通信メッセージを前記通信部が受信した後に、この放送情報を指定する操作が行なわれた場合に、前記放送受信部にこの放送情報により特定される放送信号を受信させることを特徴とする請求項１ないし６のいずれか一に記載の携帯端末装置。
【請求項８】
放送信号に、その放送の内容に関連する放送情報を多重化させて放送する放送局と、
携帯端末装置とを備える放送情報システムであって、
前記携帯端末装置は、
通信回線網に接続して通信メッセージを送受信する通信部と、
前記放送局が放送する放送信号を受信する放送受信部と、
前記放送信号の内容を出力する表示部及び／又は音声出力部と、
前記放送情報を記憶する記憶部と、
前記表示部及び／又は音声出力部による前記放送信号の内容の出力中に、この放送信号から前記放送情報を取得し、この放送情報を前記記憶部に格納する処理動作を行なうと共に、前記通信メッセージを作成する操作が行なわれた場合に、この通信メッセージに前記記憶部に格納されている放送情報を付加する処理動作を行なう制御部と
を有していることを特徴とする放送情報システム。
【請求項９】
放送局と、
通信回線網に接続されて、前記放送局が放送する放送信号の内容に関連する放送情報を有する所定のサーバーと、
携帯端末装置とを備える放送情報システムであって、
前記携帯端末装置は、
前記通信回線網に接続して通信メッセージを送受信する通信部と、
前記放送局が放送する前記放送信号を受信する放送受信部と、
前記放送信号の内容を出力する表示部及び／又は音声出力部と、
前記放送情報を記憶する記憶部と、
前記表示部及び／又は音声出力部による前記放送信号の内容の出力中に、前記通信部を介して前記通信回線網上の前記所定のサーバーから前記放送情報を取得し、この放送情報を前記記憶部に格納する処理動作を行なうと共に、前記通信メッセージを作成する操作が行なわれた場合に、この通信メッセージに前記記憶部に格納されている放送情報を付加する処理動作を行なう制御部と
を有していることを特徴とする放送情報システム。
【請求項１０】
携帯端末装置の通信メッセージの作成方法であって、
前記携帯端末装置は、
通信回線網に接続して通信メッセージを送受信する通信部と、
放送局が放送する放送信号を受信する放送受信部と、
前記放送信号の内容を出力する表示部及び／又は音声出力部と、
前記放送信号の内容に関連する放送情報を記憶する記憶部とを備えて、
前記表示部及び／又は音声出力部による前記放送信号の内容の出力中に、前記放送受信部が受信した放送信号に多重化されている前記放送情報を取得するか、又は放送受信部が放送信号に同調したときの設定を放送情報として取得して、この放送情報を前記記憶部に格納する処理動作を行なうと共に、前記通信メッセージを作成する操作が行なわれた場合に、この通信メッセージに前記記憶部に格納されている放送情報を付加する処理動作を行なうことを特徴とする携帯端末装置の通信メッセージの作成方法。
【発明の詳細な説明】
【技術分野】
【０００１】
本発明は、ラジオ放送局又はテレビジョン放送局から放送される放送信号の内容に対応する放送情報を、電子メール等の通信メッセージで送受信することができる携帯端末装置、及び放送情報システム並びに携帯端末装置の通信メッセージの作成方法に関するものである。
【背景技術】
【０００２】
従来において、通信回線網に接続して、文字メッセージ送受信サービス（Ｓｈｏｒｔ  Ｍｅｓｓａｇｅ  Ｓｅｒｖｉｃｅ）における文字メッセージや、電子メール等のような、通信メッセージを送受信することができる携帯端末装置があった。
【０００３】
また、上記のように、通信メッセージを送受信することができるようになっているだけではなく、ラジオ放送又はテレビジョン放送の放送信号を受信して、その内容を視聴することができるようになっている携帯端末装置があった。
【０００４】
このような携帯端末装置によれば、例えば、現在視聴しているラジオ放送又はテレビジョン放送が興味深いものであるため、このようなラジオ放送又はテレビジョン放送を知人等の誰かに知らせたくなったような場合には、その旨を記載した通信メッセージを、この携帯端末装置から送信することができる。
【０００５】
また、このような携帯端末装置が、送信する通信メッセージの文面の末尾に、予めユーザーが作成して保存しておいた、氏名や連絡先、座右の銘などを数行にまとめた署名（ｓｉｇｎａｔｕｒｅ）を、自動的に付加するようになっていれば（例えば、特許文献１参照）、送信する通信メッセージに自分の氏名等を打ち込む手間を省略することができるので、通信メッセージを送信しようと思い付いてから、実際に送信するまでに掛かる時間を短縮することができる。
【特許文献１】特開２００１−３１８８５８号公報
【発明の開示】
【発明が解決しようとする課題】
【０００６】
しかしながら、このような携帯端末装置は、現在視聴しているラジオ放送又はテレビジョン放送を誰かに通信メッセージで知らせようとした場合に、この通信メッセージに署名が自動的に付加されるとしても、現在視聴しているラジオ放送又はテレビジョン放送の内容に対応する放送情報、例えば放送局名、番組名、出演者の名前等については、その記載の文字等を手動で打ち込まなければならない。
【０００７】
このため、通信メッセージの作成には一定の時間が掛かるため、現在視聴中のラジオ放送又はテレビジョン放送の内容が終了するまでに、この通信メッセージの送信が間に合わなくなってしまうおそれがあるという問題があった。
【０００８】
そこで本発明は、上記問題点に鑑みて、現在視聴中のラジオ放送又はテレビジョン放送の内容を誰かに知らせたくなった場合に、その放送の内容に対応する放送情報を、迅速に通信メッセージで送信することができる携帯端末装置、及び放送情報システム、並びに携帯端末装置の通信メッセージの作成方法を提供することを課題とするものである。
【課題を解決するための手段】
【０００９】
上記課題を解決するために、本発明による携帯端末装置は、
通信回線網に接続して通信メッセージを送受信することができる通信部と、
放送局が放送する放送信号を受信する放送受信部と、
前記放送信号の内容を出力する表示部及び／又は音声出力部と、
前記放送信号の内容に関連する放送情報を記憶する記憶部と、
前記表示部及び／又は音声出力部による前記放送信号の内容の出力中に、前記放送受信部が受信した放送信号に多重化されている前記放送情報を取得するか、又は放送受信部が放送信号に同調したときの設定を放送情報として取得して、この放送情報を前記記憶部に格納する処理動作を行なうと共に、前記通信メッセージを作成する操作が行なわれた場合に、この通信メッセージに前記記憶部に格納されている放送情報を付加する処理動作を行なう制御部とを備えることを特徴とするものである。
【００１０】
また、本発明による携帯端末装置は、
前記記憶部は、前記放送信号の周波数に対応する放送局名及び／又はチャンネル番号のテーブルを記憶し、
前記制御部は、前記放送受信部が受信する放送信号の周波数を前記テーブルに照らし合わせて放送局名又はチャンネル番号を特定し、この特定された放送局名又はチャンネル番号を前記放送情報の一部として前記記憶部に格納するようになっていてもよい。
【００１１】
また、上記課題を解決するために、本発明による携帯端末装置は、
通信回線網に接続して通信メッセージを送受信することができる通信部と、
放送局が放送する放送信号を受信する放送受信部と、
前記放送信号の内容を出力する表示部及び／又は音声出力部と、
前記放送信号の内容に関連する放送情報を記憶する記憶部と、
前記表示部及び／又は音声出力部による前記放送信号の内容の出力中に、前記通信部を介して前記放送情報を有する前記通信回線網上の所定のサーバーから放送情報を取得し、この放送情報を前記記憶部に格納する処理動作を行なうと共に、前記通信メッセージを作成する操作が行なわれた場合に、この通信メッセージに前記記憶部に格納されている放送情報を付加する処理動作を行なう制御部とを備えることを特徴とするものである。
【００１２】
また、本発明による携帯端末装置は、
前記記憶部は、前記放送信号の周波数に対応する放送局名及び／又はチャンネル番号のテーブルを記憶し、
前記制御部は、前記放送受信部が受信する放送信号の周波数を前記テーブルに照らし合わせて放送局名又はチャンネル番号を特定し、この特定された放送局名又はチャンネル番号の放送局が放送する放送信号の放送情報を前記所定のサーバーから取得するようになっていてもよい。
【００１３】
また、本発明による携帯端末装置は、
現在の時刻を出力する時計部を備え、
前記制御部は、前記所定のサーバーから取得する前記放送情報を、前記時計部が指す時刻に対応しているものに限定するようになっていてもよい。
【００１４】
また、本発明による携帯端末装置は、
前記制御部は、前記表示部及び／又は音声出力部による前記放送信号の内容の出力中のときに、一定時間ごと又は取得した放送情報の内容に変化があったとき、前記記憶部に記憶した放送情報を新たなものに更新するようになっていてもよい。
【００１５】
また、本発明による携帯端末装置は、
前記制御部は、前記放送信号の内容に関連する放送情報が付加されている通信メッセージを前記通信部が受信した後に、この放送情報を指定する操作が行なわれた場合に、前記放送受信部にこの放送情報により特定される放送信号を受信させるようになっていてもよい。
【００１６】
また、上記課題を解決するために本発明は、
放送信号に、その放送の内容に関連する放送情報を多重化させて放送する放送局と、
携帯端末装置とを備える放送情報システムであって、
前記携帯端末装置は、
通信回線網に接続して通信メッセージを送受信する通信部と、
前記放送局が放送する放送信号を受信する放送受信部と、
前記放送信号の内容を出力する表示部及び／又は音声出力部と、
前記放送情報を記憶する記憶部と、
前記表示部及び／又は音声出力部による前記放送信号の内容の出力中に、この放送信号から前記放送情報を取得し、この放送情報を前記記憶部に格納する処理動作を行なうと共に、前記通信メッセージを作成する操作が行なわれた場合に、この通信メッセージに前記記憶部に格納されている放送情報を付加する処理動作を行なう制御部とを有していることを特徴とするものである。
【００１７】
また、上記課題を解決するために本発明は、
放送局と、
通信回線網に接続されて、前記放送局が放送する放送信号の内容に関連する放送情報を有する所定のサーバーと、
携帯端末装置とを備える放送情報システムであって、
前記携帯端末装置は、
前記通信回線網に接続して通信メッセージを送受信する通信部と、
前記放送局が放送する前記放送信号を受信する放送受信部と、
前記放送信号の内容を出力する表示部及び／又は音声出力部と、
前記放送情報を記憶する記憶部と、
前記表示部及び／又は音声出力部による前記放送信号の内容の出力中に、前記通信部を介して前記通信回線網上の前記所定のサーバーから前記放送情報を取得し、この放送情報を前記記憶部に格納する処理動作を行なうと共に、前記通信メッセージを作成する操作が行なわれた場合に、この通信メッセージに前記記憶部に格納されている放送情報を付加する処理動作を行なう制御部とを有していることを特徴とするものである。
【００１８】
また、上記課題を解決するために本発明は、
携帯端末装置の通信メッセージの作成方法であって、
前記携帯端末装置は、
通信回線網に接続して通信メッセージを送受信する通信部と、
放送局が放送する放送信号を受信する放送受信部と、
前記放送信号の内容を出力する表示部及び／又は音声出力部と、
前記放送信号の内容に関連する放送情報を記憶する記憶部とを備えて、
前記表示部及び／又は音声出力部による前記放送信号の内容の出力中に、前記放送受信部が受信した放送信号に多重化されている前記放送情報を取得するか、又は放送受信部が放送信号に同調したときの設定を放送情報として取得して、この放送情報を前記記憶部に格納する処理動作を行なうと共に、前記通信メッセージを作成する操作が行なわれた場合に、この通信メッセージに前記記憶部に格納されている放送情報を付加する処理動作を行なうことを特徴とするものである。
【発明の効果】
【００１９】
このような本発明の携帯端末装置、及び放送情報システム、並びに携帯端末装置の通信メッセージの作成方法によれば、現在視聴中のラジオ放送又はテレビジョン放送の内容を誰かに知らせたくなった場合に、その放送の内容に対応する放送情報を、直ちに通信メッセージで送信することができる。
【発明を実施するための最良の形態】
【００２０】
以下、本発明に係る、携帯端末装置、及び放送情報システム、並びに携帯端末装置の通信メッセージの作成方法の実施の形態について、図面に基づいて具体的に説明する。
図１ないし図８は、本発明の第１の実施の形態に係る、携帯電話機２（携帯端末装置に相当）、及び放送情報システム４、並びに携帯電話機２の通信メッセージの作成方法について説明するために参照する図である。
【００２１】
図１に示すように、本実施の形態に係る放送情報システム４は、携帯電話機２及びテレビジョン放送局６により構成されている。携帯電話機２は、従来の一般的な携帯電話機と同様に、最寄りの基地局８及び公衆通信回線網１０を通じて、通話の通信や電子メール（通信メッセージに相当）の送受信を行なうことができるようになっている。
【００２２】
この携帯電話機２は、図２に示すように、通信部１２、放送受信部１４、第１記憶部１６、第２記憶部１８、操作部２０、表示部２２、音声処理部２４、マイクロホン２６、スピーカー２８（音声出力部に相当）、及びこれらを制御するＣＰＵ３０（制御部に相当）を備えている。
【００２３】
音声処理部２４、マイクロホン２６及びスピーカー２８は、通信部１２を介して通話の通信を行なうときなどに用いられる。表示部２２は、図示しないが、その表示面に受信した電子メールや、作成中の電子メール等を表示することができる。
【００２４】
放送受信部１４は、図１に示すテレビジョン放送局６から放送される放送信号を受信するようになっている。この放送受信部１４は、オートチューニング機能（自動同調機能）を有している。
【００２５】
図２に示す操作部２０により、選局や、受信可能な放送信号の探索が指示された場合には、ＣＰＵ３０が放送受信部１４に対して、この操作に対応する設定を行なうようになっており、放送受信部１４は、この設定に基づいて放送信号に自動的に同調するようになっている。
【００２６】
そして、放送受信部１４が受信した放送信号の内容は、ＣＰＵ３０の処理動作により、その映像が表示部２２の図示しない表示面から出力され、音声がスピーカー２８から出力されるようになっている。
【００２７】
また、第２記憶部１８には、図３に示すような放送局名テーブル３２が、予め記憶されている。この放送局名テーブル３２には、放送局が放送する放送信号の周波数、及びこれらの各周波数に対応する放送局名とチャンネル番号が互いに対応するように登録されている。
【００２８】
図２に示す第１記憶部１６には、後述する放送情報、放送受信部１４が同調した放送信号の周波数、及びこの周波数に対応する放送局名とチャンネル番号が記憶されるようになっている。
【００２９】
また、第１記憶部１６には、付加設定が記憶されるようになっている。この付加設定は、操作によりＯＮ又はＯＦＦのいずれかに設定することができるようになっている。付加設定がＯＮに設定されている場合には、後述するようなＣＰＵ３０の処理動作により、テレビジョン放送の視聴中に送信する電子メールに、後述する放送情報が自動的に付加されるようになっている。また、付加設定がＯＦＦに設定されている場合には、放送情報は付加されないようになっている。
【００３０】
また、図１に示すテレビジョン放送局６は、放送信号を放送する際に、この放送信号の内容に対応する放送情報を、多重化させるようになっている。この放送信号は、アナログ又はデジタルのいずれであってもよく、衛星波又は地上波のいずれであってもよい。
【００３１】
ここで、放送情報とは、番組の放送時間帯、チャンネル番号、番組名、出演者名、番組のジャンル、曲名、歌手名若しくは曲を流す時間帯、又はこれらの組合せの情報をいうものとする。また、後述するように、放送情報を付加した電子メールを携帯電話機２同士の間で送受信するような場合には、この放送情報に、放送局名や放送信号の周波数の情報が含まれることがあるものとする。
【００３２】
例えば、テレビジョン放送局６は、１９時から２０時の間に「ももたろう」という番組名のアニメーションを放送するときには、この１９時から２０時の間にかけて放送する放送信号の内容に、図４に示すような放送情報３４を多重化させるようになっている。
【００３３】
この放送情報３４には、放送時間帯、テレビジョン放送局６のチャンネル番号、番組名、出演している声優、番組のジャンル、主題曲の放送時間帯、曲名、及び歌手名の情報が含まれている。
【００３４】
また、上記放送信号への多重化の技術としては、例えば、垂直帰線消去期間（Ｖｅｒｔｉｃａｌ  Ｂｌａｎｋｉｎｇ  Ｉｎｔｅｒｖａｌ）への多重化がある。テレビジョンのブラウン管で画像を描画する際には、走査線が画面の上から下に向かって移動するが、画面の下まで移動した走査線は、次の走査を行なうために画面の最上部まで復帰する。垂直帰線消去期間とは、この復帰期間のことを指す。
【００３５】
次に、図１中に示す２つの携帯電話機２の一方を符号２ａで示し、他方を符号２ｂで示すこととし、図５及び図６のフローチャートに基づいて、図１中の携帯電話機２ａのユーザーが、この携帯電話機２ａで現在視聴しているテレビジョン放送局６の放送を携帯電話機２ｂのユーザーに知らせるために、電子メールを送信する操作を行なった場合における、携帯電話機２ａのＣＰＵ３０の処理動作について説明する。
【００３６】
携帯電話機２ａのＣＰＵ３０は、ユーザーの操作により、放送受信部１４が放送信号の受信を開始した後、ステップＳ１０１において、放送信号の受信を停止させる操作（ステップＳ１０１のＹＥＳ）が行なわれるか、または、ステップＳ１０５において、電子メールを作成する操作が行なわれるまで（ステップＳ１０５のＹＥＳ）、ステップＳ１０２からＳ１０４、及びステップＳ１０５のＮＯの処理動作を一定時間ごとに繰り返して行なうようになっている。
【００３７】
すなわち、ＣＰＵ３０は、放送受信部１４が同調して受信している、テレビジョン放送局６の放送信号の周波数を確認すると共に（ステップＳ１０２）、この放送信号に多重化されている放送情報を抽出（取得）するようになっている（ステップＳ１０３）。
【００３８】
そして、ＣＰＵ３０は、ステップＳ１０３で取得した放送情報を第１記憶部１６に格納すると共に、図３に示す放送局名テーブル３２を参照して、ステップＳ１０２で確認した放送信号の周波数、及びこの周波数に対応する放送局名とチャンネル番号を、第１記憶部に格納するようになっている（図５中、ステップＳ１０４）。
【００３９】
このステップＳ１０４の処理動作が終了した直後において、放送信号の周波数、及びこの周波数に対応する放送局名とチャンネル番号は、ステップＳ１０３で取得した放送情報に足し合わされ、放送情報の一部として取り扱われるようになっている。
【００４０】
また、ステップＳ１０２からＳ１０４、及びステップＳ１０５のＮＯまでの処理動作が一巡した後に、このステップＳ１０２からＳ１０４までの処理動作が再び行なわれた場合には、ステップＳ１０４において第１記憶部に格納される放送情報は、以前に格納した放送情報に上書きされるようになっている。
【００４１】
次に、ステップＳ１０２からＳ１０４までの処理動作が一定時間ごとに繰り返し行なわれているときに、電子メールを作成する操作が行なわれると（ステップＳ１０５のＹＥＳ）、ＣＰＵ３０は、第１記憶部１６に記憶されている付加設定を確認するようになっている（図６中、ステップＳ１０６）。
【００４２】
ここで、図５中のステップＳ１０５以降において作成される電子メールは、表示部２２の表示面に表示された、図示しない専用の電子メール作成用の画面で作成されるようになっており、また、電子メールの内容として入力される文字は、所定の形式（様式）を有するようになっているため、ＣＰＵ３０は、ステップＳ１０５において電子メールを作成するための操作が行なわれた場合には、この操作を他の操作と区別することができるようになっている。
【００４３】
図６中のステップＳ１０６において、第１記憶部１６の付加設定がＯＦＦになっている場合には（ステップＳ１０６のＮＯ）、ＣＰＵ３０は、ユーザーが作成しようとしている電子メールに対して、放送情報を付加しないようになっている。
【００４４】
したがって、ユーザーは、ステップＳ１０９において、図示しない電子メール作成用の画面上で電子メールの宛先、件名及び本文を打ち込んだ後に、これを通常の電子メールとして送信することができるようになっている（ステップＳ１１０）。
【００４５】
また、付加設定がＯＮになっている場合には（ステップＳ１０６のＹＥＳ）、改めて、ユーザーが今回作成する電子メールに、現在視聴中のテレビジョン放送についての放送情報を付加するかどうかについて選択するように促す案内を、図示しない表示部２２の表示面に表示するようになっている（ステップ１０７）。
【００４６】
ユーザーが放送情報を付加しないと選択した場合には（ステップＳ１０７のＮＯ）、付加設定がＯＦＦになっている場合（ステップＳ１０６のＮＯ）と同様に、ＣＰＵ３０は、ユーザーが作成しようとしている電子メールに対して、放送情報を付加しないようになっている。
【００４７】
したがって、ユーザーは、ステップＳ１０９において、図示しない電子メール作成用の画面上で電子メールの宛先、件名及び本文を打ち込んだ後に、これを通常の電子メールとして送信することができるようになっている（ステップＳ１１０）。
【００４８】
また、ユーザーが放送情報を付加すると選択した場合には（ステップＳ１０７のＹＥＳ）、ＣＰＵ３０は、ユーザーが作成しようとしている電子メールの本文に対して、第１記憶部１６に記憶されている放送情報の全部又は一部を予め付加しておくようになっている（ステップＳ１０８）。このステップＳ１０８の後のステップＳ１０９において、ユーザーが入力する本文内の文字列は、放送情報の前側に挿入されていくようになっている。
【００４９】
ここで、このステップＳ１０８で行なう放送情報の付加については、放送情報の付加を示すよう規定した特定の文字列にて生成した所定のタグを用いるようになっていてもよい。例えば、電子メールの本文の全体が、このステップＳ１０８の後のステップＳ１０９においてユーザーにより入力される本文内の文字列の末尾側に、このような所定のタグと、このタグに続く放送情報を付け足したような構成になるようになっていてもよい。
【００５０】
また、本実施の形態とは異なる別の形態として、放送情報が記述されたファイルを生成すると共に、そのファイル名に、放送情報であることを表す所定の拡張子を付するようにし、このファイルを電子メールに添付するようになっていてもよい。
【００５１】
また、電子メールの本文に付加される放送情報には、少なくとも放送信号を特定することができるように、その信号の周波数、放送局名又はチャンネル番号が含まれている。
【００５２】
次にユーザーは、ステップＳ１０８の処理動作が行なわれた後のステップＳ１０９において、通常の電子メールを作成するときと同様に、図示しない電子メール作成用の画面上で電子メールの宛先、件名及び本文を打ち込むことができる。また、ユーザーは、本文の部分に実体的な文字等を入力しないようにして、本文の部分が実体的な内容を有さずに、放送情報だけが付加されているような状態のままにしておくこともできる。
【００５３】
そして、ユーザーは、通常の電子メールを送信するときと同様の操作により、放送情報が付加された電子メールを送信することができるようになっている（ステップＳ１１０）。また、ステップＳ１１０において電子メールを送信すると、ＣＰＵ３０は、再びステップＳ１０１からの処理動作を繰り返して行なうようになっている。
【００５４】
なお、ステップＳ１０２ないしＳ１０４の処理については、ステップＳ１０７にて付加する選択が行なわれた時点で行なってもよい。
【００５５】
次に、図７のフローチャートに基づいて、図１に示す携帯電話機２ｂが、携帯電話機２ａから送信された電子メールを受信した場合における、この携帯電話機２ｂのＣＰＵ３０の処理動作について説明する。
【００５６】
携帯電話機２ｂは、携帯電話機２ａから送信された電子メールを受信した後、従来の一般的な携帯電話機と同様の操作により、この電子メールを表示部２２の図示しない表示面に表示して、閲覧することができるようになっている（ステップＳ２０１）。そして、ステップＳ２０２において、ＣＰＵ３０は、この電子メールの本文に放送情報が付加されているかどうかを判断するようになっている。
【００５７】
放送情報が電子メールの本文に付加されているかどうかを判断する方法としては、例えば、電子メールの本文のデータを先頭側又は末尾側のいずれかから検索して、放送情報が付加されていることを示す所定のタグを見つけ出したかどうかにより判断することができる。タグを見つけ出した場合には、このタグに続く文字列を放送情報として抽出することができる。
【００５８】
また、本実施の形態とは異なる別の形態として、送信されてくる電子メールに放送情報が付加されるときに、ファイル名の拡張子が放送情報を表す所定のものになっている放送情報のファイルが添付されるようになっている場合には、ファイル名の拡張子に基づいて判断することができる。
【００５９】
ステップＳ２０２において、受信した電子メールの本文に放送情報が付加されていないと判断した場合には（ステップＳ２０２のＮＯ）、ＣＰＵ３０は、従来の一般的な携帯電話機と同様に、その後のユーザーの閲覧終了の操作や、返信の電子メールを作成する操作等に対応して、ステップＳ２０３ないしステップＳ２０５以外の処理動作を行なうようになっている。
【００６０】
また、この電子メールの本文に放送情報が付加されていると判断した場合には（ステップＳ２０２のＹＥＳ）、ＣＰＵ３０は、電子メールの本文と一緒に、この電子メールの本文に付加されていた放送情報の全部又は一部を、表示部２２の表示面に表示させるようになっている（ステップＳ２０３）。例えば、図８に示すように、表示部２２の表示面に、放送情報の一部である放送局の周波数及び放送局名だけを表示させるようにすることができる。
【００６１】
そして、放送情報が表示面に表示されているときに、ユーザーが操作部２０により、例えば、放送情報が表示されている領域を図示しないカーソル等で指定してから決定するような、所定の操作を行なった場合には（図７中、ステップＳ２０４のＹＥＳ）、ＣＰＵ３０は、このような所定の操作が行なわれたことを判断するようになっており、放送情報により特定される放送信号を放送受信部１４に受信させ、この放送信号の内容を表示部２２及びスピーカー２８から出力させるようになっている（ステップＳ２０５）。
【００６２】
また、ステップＳ２０４において、ユーザーが、所定の操作を行なわなかった場合には（ステップＳ２０４のＮＯ）、電子メールに放送情報が付加されていなかった場合（ステップＳ２０２のＮＯ）と同様に、その後のユーザーの閲覧終了の操作や、返信の電子メールを作成する操作等に対応して、ステップＳ２０５以外の処理動作を行なうようになっている。
【００６３】
このような本実施の形態に係る、携帯電話機２及び放送情報システム４、並びに携帯電話機２の通信メッセージの作成方法によれば、現在視聴中のテレビジョン放送の内容を誰かに知らせたくなった場合に、その放送の内容に対応する放送情報を、直ちに電子メールで送信することができる。
【００６４】
また、放送情報が付加されている電子メールを受信した場合には、この放送情報により特定される放送信号を直ちに受信することができる。
【００６５】
次に、図９及び図１０に基づいて、本発明の第２の実施の形態に係る、携帯電話機５０（携帯端末装置に相当）、及び放送情報システム５２、並びに携帯電話機５０の通信メッセージの作成方法について説明する。
【００６６】
本実施の形態に係る携帯電話機５０及び放送情報システム５２のそれぞれは、前記第１の実施の形態に係る携帯電話機２及び放送情報システム４に相当するものである。このため、前記第１の実施の形態に係る携帯電話機２及び放送情報システム４と同様の部分には同じ符号を付して説明し、同様の構成についての重複する説明は省略するものとする。
【００６７】
本実施の形態に係る放送情報システム５２は、テレビジョン放送局６及び携帯電話機５０の他に、公衆通信回線網１０に接続されている放送情報サーバー５４を備えている。
【００６８】
この放送情報サーバー５４は、テレビジョン放送局６が放送する放送信号の内容に対応している放送情報を保持している。そして、公衆通信回線網１０を通じて受信した携帯電話機５０からの要求に応じて、この要求をした携帯電話機５０に放送情報を送信するようになっている。
【００６９】
また、携帯電話機５０が放送情報を要求する際に、放送局と時刻を指定してきた場合には、放送情報サーバー５４は、指定された放送局と時刻により特定される放送信号に対応する放送情報だけを、携帯電話機５０に送信するようになっている。
【００７０】
このような放送情報サーバー５４としては、電子番組ガイド（Ｅｌｅｃｔｏｒｏｎｉｃ  Ｐｒｏｇｒａｍ  Ｇｕｉｄｅ）を提供することができるような各種のサーバーが含まれる。
【００７１】
また、テレビジョン放送局６は、前記第１の実施の形態と異なり、放送信号に放送情報を多重化させずに、この放送信号を放送するようになっている。
【００７２】
また、携帯電話機５０は、図１０に示すように、現在の時刻を出力する時計部５６を備えている。
【００７３】
そして、携帯電話機５０のＣＰＵ３０の処理動作は、前記第１の実施の形態と図５に示すフローチャートのステップＳ１０３において異なり、通信部１２を公衆通信回線網１０上の放送情報サーバー５４に接続させて、放送情報サーバー５４から放送情報を取得するようになっている。
【００７４】
すなわち、ステップＳ１０３において携帯電話機５０のＣＰＵ３０は、まず、第２記憶部１８の放送局名テーブル３２を参照して、ステップＳ１０２で確認した放送信号の周波数に対応する放送局名を特定した後、この放送局名と時計部５６から出力される現在時刻を指定して、放送情報サーバー５４に放送情報を要求することにより、放送情報を取得するようになっている。
【００７５】
このような本実施の形態に係る、携帯電話機５０及び放送情報システム５２、並びに携帯電話機５０の通信メッセージの作成方法によれば、前記第１の実施の形態と同様に、現在視聴中のテレビジョン放送の内容を誰かに知らせたくなった場合に、その放送の内容に対応する放送情報を、直ちに電子メールで送信することができる。
【００７６】
また、前記第１の実施の形態と同様に、放送情報が付加されている電子メールを受信した場合には、この放送情報により特定される放送信号を直ちに受信することができる。
【００７７】
なお、前記第１及び第２の実施の形態においては、図５中のステップＳ１０２ないしＳ１０４の処理動作のそれぞれを一定時間ごとに行なうようになっていたが、ステップＳ１０４動作は、ステップＳ１０３で取得した放送情報の内容が変化した場合にのみ行なわれるようになっていてもよい。
【００７８】
また、前記第１の実施の形態においては、テレビジョン放送局６から放送される放送信号に多重化されている放送情報に、この放送信号の周波数や放送局名が含まれていなかったが、放送情報に放送信号の周波数や放送局名が含まれるようになっていてもよい。
【００７９】
また、前記第１の実施の形態に係る放送情報システム４は、携帯電話機２とテレビジョン放送局６により構成されていたが、放送情報システム４は、テレビジョン放送局６に代えて、又はテレビジョン放送局６と共に、ラジオ放送局を備えるようになっていてもよい。
【００８０】
このような場合には、このラジオ放送局は、放送信号に放送情報を多重化させて放送するようになっており、携帯電話機２は、このような放送信号を受信することができるようになっていると共に、放送局名テーブル３２にラジオ放送局が登録されているということはいうまでもない。
【００８１】
このようなラジオ放送局が放送する放送信号に、放送情報を多重化させるための技術としては、例えば副搬送波を用いるＤＡＲＣ（Ｄａｔａ  Ｒａｄｉｏ  Ｃｈａｎｎｅｌ）を利用することができる
【００８２】
また、前記第１の実施の形態に係る放送情報システム４は、前記第２の実施の形態に係る放送情報サーバー５４を備えていなかったが、放送情報サーバー５４を備えるようになっていてもよい。また、携帯電話機２は、前記第２の実施の形態における時計部５６を備えていなかったが、時計部５６を備えるようになっていてもよい。
【００８３】
このような場合には、図７中のステップＳ２０５において、携帯電話機２ｂが、抽出した放送情報のみにて放送信号の受信を行なうことができない場合、つまり、放送信号を特定するのに、抽出した放送情報だけでは足りない場合などには、放送情報サーバー５４に接続して、抽出した放送情報や、時計部５６により特定される時刻に基づき検索して、該当する番組などを特定し、放送信号の受信に必要な情報を入手した上で、放送信号を受信するようになっていてもよい。
【００８４】
また、前記第２の実施の形態に係る放送情報システム５２は、携帯電話機２、テレビジョン放送局６、及び放送情報サーバー５４により構成されていたが、放送情報システム５２は、テレビジョン放送局６に代えて、又はテレビジョン放送局６と共に、ラジオ放送局を備えるようになっていてもよい。
【００８５】
このような場合には、放送情報サーバー５４は、ラジオ放送局が放送する放送信号に対応している放送情報を保持するようになっていることはいうまでもない。
【００８６】
また、前記第１及び第２の形態に係る携帯電話機２，５０として、図２及び図１０に示すように、第１記憶部１６と第２記憶部１８を別体にて備える例を説明したが、前記第１及び第２の形態とは異なる他の実施の形態として、第１記憶部１６と第２記憶部１８とを一体に構成した単一の記憶部を備えるようになっていてもよい。
【００８７】
また、前記第１及び第２の実施の形態においては、本発明を携帯電話機２，５０に適用した場合について説明したが、ラジオ放送局又はテレビ放送局が放送する放送信号を受信することができて、電子メール等の通信メッセージを送受信することができるような、携帯電話機以外の他の携帯端末装置に本発明を適用してもよいことはいうまでもない。
【図面の簡単な説明】
【００８８】
【図１】本発明の第１の実施の形態に係る放送情報システム４、及びこの放送情報システム４に用いられる携帯電話機２（２ａ，２ｂ）を示す概念図である。
【図２】図１に示す携帯電話機２（２ａ，２ｂ）の回路構成を示すブロック図である。
【図３】図２に示す携帯電話機２の第２記憶部１８に記憶されている放送局名テーブル３２である。
【図４】図１に示すテレビジョン放送局６が放送する放送信号に多重化されている放送情報である。
【図５】図２に示す携帯電話機２ａから電子メールを送信する場合におけるＣＰＵ３０の処理手順等を示すフローチャートである。
【図６】図２に示す携帯電話機２ａから電子メールを送信する場合におけるＣＰＵ３０の処理手順等を示すフローチャートである。
【図７】図２に示す携帯電話機２ｂが電子メールを受信した場合におけるＣＰＵ３０の処理手順等を示すフローチャートである。
【図８】図２に示す表示部２２の表示面に、放送情報が表示された状態を示す図である。
【図９】本発明の第２の実施の形態に係る放送情報システム５２、及びこの放送情報システム５２に用いられる携帯電話機５０（５０ａ，５０ｂ）を示す概念図である。
【図１０】図９に示す携帯電話機５０（５０ａ，５０ｂ）の回路構成を示すブロック図である。
【符号の説明】
【００８９】
２，２ａ，２ｂ  携帯電話機
４  放送情報システム
６  テレビジョン放送局
８  基地局
１０  公衆通信回線網
１２  通信部
１４  放送受信部
１６  第１記憶部
１８  第２記憶部
２０  操作部
２２  表示部
２４  音声処理部
２６  マイクロホン
２８  スピーカー
３０  ＣＰＵ
３２  放送局名テーブル
３４  放送情報
５０，５０ａ，５０ｂ  携帯電話機
５２  放送情報システム
５４  放送情報サーバー
５６  時計部
【図１】
2006121509.tif 000003
【図２】
2006121509.tif 000004
【図３】
2006121509.tif 000005
【図４】
2006121509.tif 000006
【図５】
2006121509.tif 000007
【図６】
2006121509.tif 000008
【図７】
2006121509.tif 000009
【図８】
2006121509.tif 000010
【図９】
2006121509.tif 000011
【図１０】
2006121509.tif 000012